(57)【特許請求の範囲】
【請求項１】
載荷梁に地盤補強杭と地盤補強杭打設前の先行掘用ロッドが取り付けられた地盤補強杭及び先行掘用ロッド打設装置を用い、
地盤補強杭打設前の先行掘用ロッドにより先掘りされた先行掘孔に、地盤補強杭を打設すると同時に、次工程で地盤補強杭を打設する位置に、先行掘り用ロッドで先行掘孔を先掘りすることを特徴とする地盤補強杭及び先行掘用ロッドの打設方法。
【請求項２】
載荷梁に地盤補強杭と地盤補強杭打設前の先行掘用ロッドが取り付けられ、地盤補強杭と先行掘用ロッドを同時に打設できる地盤補強杭及び先行掘用ロッド打設装置。
【請求項３】
前記載荷梁は、２以上の地盤補強杭取付部と、２以上の先行掘用ロッド取付部と、２以上の杭打設機械連結ロッド取付部を有し、地盤補強杭と先行掘用ロッドと杭打設機械連結ロッドは、それぞれ任意の位置に取り付けることができる請求項２に記載の地盤補強杭と先行掘用ロッドを同時に打設できる地盤補強杭及び先行掘用ロッド打設装置。
【発明の詳細な説明】
【技術分野】
【０００１】
本発明は、地盤補強杭及び先行掘用ロッドの打設方法とそれに用いられる打設装置に関する。
【背景技術】
【０００２】
軟弱な地盤に建物を建設する場合、地盤を補強するために地盤補強杭を打設するが、地中に転石などの障害物があると、地盤補強杭がその障害物に当たってしまってその深さ以上に打設できなかったり、地盤補強杭の芯ズレが生じてしまう。
【０００３】
そこで、地盤補強杭打設前に、地盤補強材よりも硬い材料からなる先行掘用ロッドを用いて、先行掘孔を掘り、その先行掘孔に地盤補強杭を打設するといった方法がとられている。
【先行技術文献】
【特許文献】
【０００４】
【特許文献１】特開平９−１３３７５号公報
【発明の概要】
【発明が解決しようとする課題】
【０００５】
しかし、地盤補強杭の打設に先立って、先行掘用ロッドにより先行孔を掘るため、施工が先行掘用ロッドの打設と地盤補強杭の打設の２工程からなり、施工に手間がかかるといった問題があった。また、先行掘用ロッド１本だけを杭打設機械を用いて施工する場合、杭打設機械からの荷重が偏ることにより杭先掘用ロッドが傾斜してしまい、そのため先行掘孔が傾き、ひいては地盤補強杭が傾斜して打設されてしまうという問題があった。
【０００６】
本発明は、以上のような問題点に鑑み、施工工程を短縮することができ、また、地盤補強杭を傾斜させることなく打設することができる、地盤補強杭及び先行掘用ロッドの打設方法とそれに用いられる打設装置を提供することを課題とする。
【課題を解決するための手段】
【０００７】
上記の課題は、載荷梁に地盤補強杭と地盤補強杭打設前の先行掘用ロッドが取り付けられた地盤補強杭及び先行掘用ロッド打設装置を用い、地盤補強杭打設前の先行掘用ロッドにより先掘りされた先行掘孔に、地盤補強杭を打設すると同時に、次工程で地盤補強杭を打設する位置に、先行掘り用ロッドで先行掘孔を先掘りすることを特徴とする地盤補強杭及び先行掘用ロッドの打設方法、また、載荷梁に地盤補強杭と地盤補強杭打設前の先行掘用ロッドが取り付けられ、地盤補強杭と先行掘用ロッドを同時に打設できる地盤補強杭及び先行掘用ロッド打設装置により解決される。
【０００８】
本打設方法及び打設装置では、載荷梁に地盤補強杭と先行掘用ロッドが取り付けられた地盤補強杭及び先行掘用ロッド打設装置を用いて、載荷梁と連結した杭打設用機械により、地盤補強杭と先行掘用ロッドを同時に地盤に打設することができるので、地盤補強杭の打設と先行掘用ロッドにより先行掘孔の掘削を杭打設機械を２工程繰り返すことなく、一度の工程でできるため、施工工程を短縮し、施工時間を短縮することができる。
【０００９】
そして、地盤補強杭と先行掘用ロッドを同時に地盤に打設する施工を順次繰り返していくことにより、地盤補強杭どうしの間隔を一定に保ちながら、効率的に敷地に地盤補強材を打設していくことができる。
【００１０】
また、地盤補強杭と先行掘用ロッドが取り付けられた載荷梁を用いて、先行掘用ロッドの施工を地盤補強杭の打設と同時に行うため、載荷梁を介しての杭打設機械からの荷重が偏ることなく均等にかかるため、先行掘用ロッドを地盤に対して真っ直ぐに施工することができ、先行掘孔を傾斜させることなく真っ直ぐ設けることができる。
【００１１】
また、上記の地盤補強杭及び先行掘用ロッド打設装置において、載荷梁は、２以上の地盤補強杭取付部と、２以上の先行掘用ロッド取付部と、２以上の杭打設機械連結ロッド取付部を有し、地盤補強杭と先行掘用ロッドと杭打設機械連結ロッドは、それぞれ任意の位置に取り付けることができるとよい。
【００１２】
載荷梁に、地盤補強杭と、先行掘用ロッドと、載荷梁と杭打設機械とを連結する杭打設機械連結ロッドをそれぞれ任意の位置に取り付けることができるので、地盤補強杭と先行掘用ロッドの形態や重量に合わせて、地盤補強杭と先行掘用ロッドと杭打設機械連結ロッドの取付け位置を調整することにより、地盤補強杭、先行掘用ロッドを含めた載荷梁の重量バランスが調整され、載荷梁を水平に維持することができ、載荷梁を水平に維持して杭打設機械で載荷梁に荷重をかけることで、地盤補強材と先行掘用ロッドを地盤に真っ直ぐに打設することができる。また、地盤補強杭と先行掘用ロッドの間隔を変えることで、地盤補強杭どうしの間隔を調整することができる。
【発明の効果】
【００１３】
本発明は以上のとおりであるから、施工工程を短縮することができ、また、地盤補強杭を傾斜させることなく打設することができる、地盤補強杭及び先行掘用ロッドの打設方法とそれに用いられる打設装置を提供することができる。
【図面の簡単な説明】
【００１４】
【図１】図（イ）は、本発明の実施形態である地盤補強杭及び先行掘用ロッド打設装置を示す一部断面正面図、図（ロ）は、要部拡大一部断面図である。
【図２】図（イ）（ロ）は、それぞれ地盤補強杭、先行掘用ロッド、杭打設機械連結ロッドの載荷梁への取付け状況を示す一部断面正面図である。
【図３】図（イ）乃至（ハ）は、地盤補強杭及び先行掘用ロッドの打設装置を用いた地盤補強杭及び先行掘用ロッドの打設方法を順次示す正面図である。
【図４】図（イ）乃至（ハ）は、それぞれ、本発明の他実施例に用いられる載荷梁を示す一部断面斜視図である。
【発明を実施するための形態】
【００１５】
次に、本発明の実施形態を図面に基づいて説明する。
【００１６】
図１に示す地盤補強杭と先行掘用ロッドを同時に打設できる地盤補強杭及び先行掘用ロッド打設装置１において、２は地盤補強杭、４は先行掘用ロッド、６は載荷梁である。
【００１７】
地盤補強杭２は建物及び地盤の状況に応じて設計された長さ・径を有するプラスチック杭からなり、地盤補強杭２が任意に脱着可能な地盤補強杭固定チャック３を介して載荷梁６に固定されている。地盤補強杭２は、後述する先行掘用ロッドによって掘削された先行掘孔１０に打設される。
【００１８】
先行掘用ロッド４は、地盤補強杭２の地盤への打設に先立って、地中に転石などの障害物があると、地盤補強杭がその障害物に当たってしまってその深さ以上に打設できなかったり、地盤補強杭の芯ズレが生じてしまうのを防ぐために、地盤に先行掘孔１０を掘削するためのものであり、地盤補強杭２よりも小径で剛性の高い鋼管からなり、載荷梁６に固定されている。なお、５は先行掘用ロッドを打設する地盤上の位置をあわせるための位置決め用突起である。
【００１９】
杭打設機械連結ロッド８は、一方の端部を載荷梁６に固定され、もう一方の端部を図示しない杭打設機械に接続され、杭打設機械による載荷重を載荷梁６に伝達するものである。
【００２０】
載荷梁６は、水平方向に延びる断面方形の棒状部材で、上部には杭打設機械連結ロッド８の端部に設けられた雄ネジと螺合する雌ネジを有する杭打設機械連結ロッド取付部９が間隔をあけて複数設けられている。一方、載荷梁６の下部には、地盤補強杭固定チャック３の端部に設けられた雄ネジ及び先行掘用ロッド４の端部に設けられた雄ネジと螺合する雌ネジを有する地盤補強杭取付部７と先行掘用ロッド取付部７が間隔をあけて複数設けられている。なお、本実施形態では、地盤補強杭固定チャック３の端部に設けられた雄ネジと先行掘用ロッド４の端部に設けられた雄ネジは同じ形状になっており、その雄ネジにあわせて、地盤補強杭取付部７と先行掘用ロッド取付部７も区別なく同じ形状の雌ネジが設けられている。
【００２１】
図１（ロ）、図２（イ）、（ロ）に示すように、地盤補強杭固定チャック３、先行掘用ロッド４、杭打設機械連結ロッド８は、それぞれ、地盤補強杭取付部７、先行掘用ロッド取付部７、杭打設機械連結ロッド取付部９の任意の位置に脱着可能に取り付け可能であり、地盤補強杭２の打設ピッチにあわせて、地盤補強杭固定チャック３と先行掘用ロッド４の間隔を調整して、それぞれ、地盤補強杭取付部７と先行掘用ロッド取付部７に固定する。また、地盤補強杭固定チャック３と先行掘用ロッド４が地盤に対して傾斜させることなく垂直に打設するために、地盤補強杭固定チャック３と先行掘用ロッド４の間隔及び重量等を考慮して、載荷梁６を水平状態に維持して、杭打設機械連結ロッド８を杭打設機械連結ロッド取付部９に固定する。
【００２２】
地盤補強杭及び先行掘用ロッド打設装置１を用いた地盤補強杭及び先行掘用ロッドの打設は次のようにして行われる。
【００２３】
図３（イ）に示すように、まず、載荷梁６の下部に先行掘用ロッド４だけを取り付け、地盤に先行掘孔１０を掘削する。次に、図３（ロ）に示すように、載荷梁６に、地盤補強杭固定チャック３を介して地盤補強杭２と先行掘用ロッド４をそれぞれ所定の間隔をあけて取り付け、載荷梁６を水平状態に維持したまま、前工程で先行掘用ロッド４により掘削した先行掘孔１０に地盤補強杭２をあわせて、地盤補強杭２と先行掘用ロッド４を同時に打設する。打設後、図３（ハ）に示すように、地盤補強杭２を地盤補強杭固定チャック３から取り外し、地盤補強杭２を地盤に打設したまま、先行掘用ロッド４を地盤から引き抜く。そして、地盤補強杭２を取り外した地盤補強杭固定チャック３に別に用意した地盤補強杭２を取りつけ、前工程で先行掘用ロッド４により掘削した先行掘孔１０に地盤補強杭２をあわせて、地盤補強杭２と先行掘用ロッド４を同時に打設する。以上の工程を順次繰り返すことで地盤補強杭を地盤に打設する。
【００２４】
本打設方法及び打設装置では、地盤補強杭の打設と先行掘用ロッドにより先行掘孔の掘削を、杭打設機械を工程を２回繰り返すことなく、一度の工程でできるため、施工工程を短縮し、施工時間を短縮することができ、地盤補強杭と先行掘用ロッドを同時に地盤に打設する施工を順次繰り返していくことにより、効率的に地盤に地盤補強杭を打設していくことができる。
【００２５】
また、地盤補強杭と先行掘用ロッドが取り付けられた載荷梁を用いて、先行掘用ロッドの施工を地盤補強杭の打設と同時に行うため、載荷梁を介しての杭打設機械からの荷重が偏ることなく均等にかかるため、先行掘用ロッドを地盤に対して真っ直ぐに施工することができ、先行掘孔を傾斜させることなく真っ直ぐ掘削することができ、ひいては地盤補強杭を地盤に対して真っ直ぐに打設することができる。特に、地盤補強杭がプラスッチク杭からなっていても、剛性の高い鋼管からなる先行掘用ロッドにより、先行掘孔が掘削されているため、地盤補強材を地盤に真っ直ぐに打設することができる。
【００２６】
特に、載荷梁に、地盤補強杭と、先行掘用ロッドと、載荷梁と杭打設機械とを連結する杭打設機械連結ロッドをそれぞれ任意の位置に取り付けることができるので、地盤補強杭と先行掘用ロッドの形態や重量に合わせて、地盤補強杭と先行掘用ロッドと杭打設機械連結ロッドの取付け位置をそれぞれ調整することにより、地盤補強杭、先行掘用ロッドを含めた載荷梁の重量バランスが調整され、載荷梁を水平に維持することができ、載荷梁を水平に維持して杭打設機械で載荷梁に荷重をかけることで、地盤補強材と先行掘用ロッドを地盤に真っ直ぐに打設することができる。
【００２７】
以上に、本発明の実施形態を示したが、本発明はこれに限られるものではなく、発明思想を逸脱しない範囲で各種の変更が可能である。上記の実施形態では、地盤補強杭がプラスチック杭である場合について示したが、地盤補強杭の材質に限定はなく、プラスチック杭以外の材質であってもよく、例えば、鋼管杭であってもよいし、木杭であってもよい。
【００２８】
また、上記の実施形態では、地盤補強杭と次に地盤補強杭を打設する先行掘孔を掘削する先行掘用ロッドの２本を同時に打設する場合について示したが、例えば、１本の地盤補強杭に対して、２本若しくはそれ以上の先行掘用ロッドを載荷梁に取り付け、１本の地盤補強杭の打設で２本若しくはそれ以上の先行掘用ロッドによる先行掘孔の掘削をしてもよい。この場合、複数掘削された先行掘孔に対して、載荷梁に１本若しくはそれ以上の地盤補強杭を取り付け、１本ずつ若しくは複数本同時に地盤補強杭を打設すればよい。
【００２９】
また、載荷梁の形態についても制限はなく、上述のように密実な棒状部材に雌ネジが設けられているだけでなく、例えば図４（イ）に示すように、Ｈ型鋼のフランジ部に地盤補強杭取付部、先行掘用ロッド取付部などの取付部としての雌ネジが設けられていてもよいし、図４（ロ）に示すように、平面視十型をしていてもよいし、図４(ハ)に示すように、平面視方形型であってもよい。
【００３０】
さらに、載荷梁と、地盤補強杭、地盤補強杭固定チャック、杭打設機械連結ロッドとの取り付けも螺子式に限定されることはなく、脱着可能に取り付けられれば、その取り付け方法に制限はない。
【符号の説明】
【００３１】
１・・・ 地盤補強杭及び先行掘用ロッド打設装置
２・・・地盤補強杭
３・・・地盤補強杭固定チャック
４・・・先行掘用ロッド
６・・・載荷梁
７・・・地盤補強杭取付部、先行掘用ロッド取付部
８・・・杭打設機械連結ロッド
９・・・杭打設機械連結ロッド取付部
１０・・・先行掘孔
【図１】
0005426424.tif 000002
【図２】
0005426424.tif 000003
【図３】
0005426424.tif 000004
【図４】
0005426424.tif 000005